(57)【要約】【課題】筐体の表示部開口の周囲に貼り付ける透明パネルを大型化しても、パネルの浮きやズレの問題を解消する。【解決手段】筐体２に形成される表示部開口２０の周囲に、透明パネル６の周囲を貼り付けにより固定するパネル固定構造であって、透明パネル６の端部に貫通孔６１を形成し、その透明パネル６端部の貫通孔６１を貫通して筐体２内部に係合可能な係合部７４を有する固定部材７を備え、当該固定部材７の係合部７４を、透明パネル６端部の貫通孔６１を貫通して筐体２内部に係合する。具体的には、係合部７４は、筐体２内部に係合する係合爪である。その係合爪７４は、固定部材７の両端部において互いに反対向きに形成されている。【選択図】図２
2010085885.tif 000002
【特許請求の範囲】
【請求項１】
筐体に形成される表示部開口の周囲に、透明パネルの周囲を貼り付けにより固定するパネル固定構造であって、
前記透明パネルの端部に貫通孔を形成し、
前記透明パネル端部の前記貫通孔を貫通して前記筐体内部に係合可能な係合部を有する固定部材を備え、
当該固定部材の前記係合部を、前記透明パネル端部の前記貫通孔を貫通して前記筐体内部に係合したことを特徴とするパネル固定構造。
【請求項２】
前記係合部は、前記筐体内部に係合する係合爪であることを特徴とする請求項１に記載のパネル固定構造。
【請求項３】
前記係合爪は、前記固定部材の両端部において互いに反対向きに形成されていることを特徴とする請求項２に記載のパネル固定構造。
【請求項４】
前記貫通孔は、前記透明パネルの長手方向一端部で短手方向に沿ってスリット状に形成され、
前記固定部材は、前記スリット状貫通孔を塞ぐ板状に形成されていて、
当該板状固定部材には、音響部材用の小開口が形成されていることを特徴とする請求項１から３のいずれか一項に記載のパネル固定構造。
【請求項５】
前記音響部材用の小開口は、受話口とスピーカ放音口であることを特徴とする請求項４に記載のパネル固定構造。
【請求項６】
請求項１から５のいずれか一項に記載のパネル固定構造による透明パネルを備えることを特徴とする電子機器。
【発明の詳細な説明】
【技術分野】
【０００１】
本発明は、筐体に形成される表示部開口の周囲に透明パネルの周囲を貼り付けるパネル固定構造と、その固定構造によるパネルを備える電子機器に関する。
【背景技術】
【０００２】
携帯電話において、その筐体には一般に、液晶表示装置の画面前方箇所に形成された開口の周囲に透明パネルの周囲が両面接着テープにより接着されている（例えば特許文献１参照）。
【特許文献１】特開平１１−２８９１６９号公報
【発明の開示】
【発明が解決しようとする課題】
【０００３】
ところで、最近の大画面化に伴い、透明パネルを大型化すると、両面接着テープによる筐体への固定だけでは、パネルの浮きやズレの問題が考えられる。
【０００４】
本発明の課題は、筐体の表示部開口の周囲に貼り付ける透明パネルを大型化しても、パネルの浮きやズレの問題を解消することである。
【課題を解決するための手段】
【０００５】
以上の課題を解決するため、請求項１に記載の発明は、筐体に形成される表示部開口の周囲に、透明パネルの周囲を貼り付けにより固定するパネル固定構造であって、前記透明パネルの端部に貫通孔を形成し、前記透明パネル端部の前記貫通孔を貫通して前記筐体内部に係合可能な係合部を有する固定部材を備え、当該固定部材の前記係合部を、前記透明パネル端部の前記貫通孔を貫通して前記筐体内部に係合したことを特徴とする。
【０００６】
請求項２に記載の発明は、請求項１に記載のパネル固定構造であって、前記係合部は、前記筐体内部に係合する係合爪であることを特徴とする。
【０００７】
請求項３に記載の発明は、請求項２に記載のパネル固定構造であって、前記係合爪は、前記固定部材の両端部において互いに反対向きに形成されていることを特徴とする。
【０００８】
請求項４に記載の発明は、請求項１から３のいずれか一項に記載のパネル固定構造であって、前記貫通孔は、前記透明パネルの長手方向一端部で短手方向に沿ってスリット状に形成され、前記固定部材は、前記スリット状貫通孔を塞ぐ板状に形成されていて、当該板状固定部材には、音響部材用の小開口が形成されていることを特徴とする。
【０００９】
請求項５に記載の発明は、請求項４に記載のパネル固定構造であって、前記音響部材用の小開口は、受話口とスピーカ放音口であることを特徴とする。
【００１０】
請求項６に記載の発明は、請求項１から５のいずれか一項に記載のパネル固定構造による透明パネルを備える電子機器を特徴とする。
【発明の効果】
【００１１】
本発明によれば、筐体の表示部開口の周囲に貼り付ける透明パネルを大型化しても、パネルの浮きやズレの問題を解消することができる。
【発明を実施するための最良の形態】
【００１２】
以下、図を参照して本発明を実施するための最良の形態を詳細に説明する。
図１は本発明を適用した電子機器の一実施形態の構成として携帯電話を示すもので、図１（ａ）は携帯電話を開いた状態を示し、図１（ｂ）は閉じた状態を示しており、１は第１の筐体、２は第２の筐体、３はヒンジ部、４は操作部、５は表示部、６は透明パネル、７は固定ピースである。
【００１３】
図示のように、第１の筐体１と第２の筐体２はヒンジ部３を介して折り畳み可能（開閉可能）に結合されており、第１の筐体１に操作部４が設けられて、第２の筐体２に表示部５が設けられている。表示部５は透明パネル６で覆われており、この透明パネル６のヒンジ部３と反対側の端部側に沿って固定ピース７が組み付けられている。
【００１４】
図２は図１の表示部５を有する第２の筐体２とその表示部５側の透明パネル６とその固定ピース７との関係を分解して示すもので、第２の筐体２の一面には、大画面用の表示部開口２０が形成されていて、この表示部開口２０の周囲には両面接着テープ８が貼り付けられている。
【００１５】
透明パネル６は、大画面に対応して第２の筐体２のほぼ全面に設けられる長方形状のもので、この透明パネル６のヒンジ部３と反対側の端部側には、短辺方向に沿って細長いスリット状貫通孔６１が形成されている。このスリット状貫通孔６１の周囲には、図５に示すように、透明パネル６の上面より僅かに低い段差部６２が形成されている。
【００１６】
固定ピース７は、図３に拡大して示すように、樹脂製で細長い薄板状のもので、音響部材用の小開口、すなわち、受話口７１と２個並んだスピーカ放音口７２を有して、両端部には下方への突出片７３を一体に備えている。この両端部の突出片７３の下端には、互いに反対向きに係合爪７４がそれぞれ形成されている。
【００１７】
両面接着テープ８は、図４に示すように、第２の筐体２の表示部開口２０の周囲において、一端側に並べて配置されるレシーバ２１及びスピーカ２２と、その外側に形成される係合穴２３を除くとともに、他端側のヒンジ部取付部２５を除いて貼り付けられている。
【００１８】
以上において、先ず、図２に示すように、第２の筐体２の表示部開口２０の周囲に両面接着テープ８で透明パネル６の周囲を接着する。これにより、図５に示すように、透明パネル６のスリット状貫通孔６１内にレシーバ２１、スピーカ２２、及びその外側の係合穴２３が位置する。
【００１９】
次に、図５に示すように、透明パネル６のスリット状貫通孔６１に固定ピース７を組み付ける。すなわち、スリット状貫通孔６１内の両端に位置する係合穴２３に、固定ピース７端部の突出片７３及び係合爪７４をそれぞれ挿入する。これにより、図７に示すように、係合穴２３内の係合片２４の下に係合爪７４が係合する。この係合爪７４と係合片２４の係合は、固定ピース７の両端部において互いに反対向きとなっていることから、安定した係合状態が得られる。
【００２０】
以上による組み付け状態において、スリット状貫通孔６１の周囲の段差部６２に薄板状の固定ピース７が載って透明パネル６の上面とほぼ面一となり、図８に示すように、レシーバ２１の上に受話口７１が位置して、スピーカ２２の上に２個並んだスピーカ放音口７２が位置している。
【００２１】
以上、実施形態の携帯電話によれば、第２の筐体２の表示部開口２０の周囲に両面接着テープ８で貼り付けて固定する透明パネル６の端部に形成したスリット状貫通孔６１に、細長い薄板状の固定ピース７の突出片７３及び係合爪７４を貫通して第２の筐体２の係合穴２３内の係合片２４に係合したので、大型化した透明パネル６であっても、そのパネル端部の浮きやズレの問題を固定ピース７の係合による固定によって解消することができる。
【００２２】
しかも、音響部材用の小開口、すなわち、受話口７１とスピーカ放音口７２を有する固定ピース７により透明パネル６端部を係合固定するので、他の固定部材を必要とせず、部品の有効利用が図れる。
【００２３】
（変形例）
なお、以上の実施形態においては、携帯電話としたが、本発明はこれに限定されるものではなく、デジタルカメラ、ビデオカメラ、ＰＤＡ、ノートパソコン、ウェアラブルパソコン、電卓、電子辞書などの電子機器すべてに用いることができる。
また、各部の材質や形状等も任意であり、その他、具体的な細部構造等についても適宜に変更可能であることは勿論である。
また、透明パネルの周囲を貼り付けるために両面接着テープを用いるもの以外に、接着剤、溶着などを用いてもよい。
【図面の簡単な説明】
【００２４】
【図１】本発明を適用した電子機器の一実施形態の構成を示すもので、携帯電話を開いた状態を示した正面図（ａ）と閉じた状態を示した正面図（ｂ）である。
【図２】図１の表示部筐体とその表示部側の透明パネルとその固定部材の分解斜視図である。
【図３】図２の固定部材の拡大図である。
【図４】図２の表示部筐体側への両面接着テープの範囲を示した正面図である。
【図５】図２の表示部筐体に透明パネルを接着した状態での固定部材の組み付け方を示す分解斜視図である。
【図６】図５の固定部材の組み付け状態を示した斜視図である。
【図７】図６の矢印Ａ−Ａ線に沿った断面図（ａ）と同じく矢印Ｂ−Ｂ線に沿った断面図（ｂ）である。
【図８】図６の矢印Ｃ−Ｃ線に沿った断面図である。
【符号の説明】
【００２５】
２  筐体
２０  表示部開口
２１  レシーバ
２２  スピーカ
２３  係合穴
２４  係合片
５  表示部
６  透明パネル
６１  貫通孔
６２  段差部
７  固定部材
７１  受話口（小開口）
７２  スピーカ放音口（小開口）
７３  突出片
７４  係合部（係合爪）
８  両面接着テープ
【図１】
2010085885.tif 000003
【図２】
2010085885.tif 000004
【図３】
2010085885.tif 000005
【図４】
2010085885.tif 000006
【図５】
2010085885.tif 000007
【図６】
2010085885.tif 000008
【図７】
2010085885.tif 000009
【図８】
2010085885.tif 000010